(57)【特許請求の範囲】
【請求項１】
アーマチュアが少なくとも１個の磁石コイルを備えたケーシング内で摺動可能であり、かつその中央の穴に挿入される棒を備え、この棒が制御プロセスの実施およびまたはアーマチュアの支持に使用されている、アーマチュアを備えた電磁石において、棒（８，２５）がアーマチュア（７）をその全長にわたって貫通していること、棒（８，２５）が合成樹脂から成り、射出成形によりアーマチュア（７）内に形成されていることを特徴とする電磁石。
【発明の詳細な説明】
【０００１】
【産業上の利用分野】
本発明は、アーマチュアが少なくとも１個の磁石コイルを備えたケーシング内で摺動可能であり、かつその中央の穴に挿入される棒を備え、この棒が制御プロセスの開始、例えば弁の操作を生ぜしめ、およびまたはアーマチュアの支持に使用されている、アーマチュアを備えた電磁石に関する。
【０００２】
【従来の技術】
このような電磁石は広く普及している。電磁石は、アーマチュアの外周部を少なくとも両端において軸受面で案内することにより、胴体支持式電磁石として形成されているかあるいは両側へ突出する棒を軸受ブッシュに通すことにより、棒支持式電磁石として形成されている。更に、棒の一方の端部をブッシュで案内し、反対側のアーマチュアの端部をその外周に沿って支持することができる。この場合すべて、金属からなる棒が使用される。この棒は溝を備え、そしてアーマチュアの材料をこの棒の溝に押し込むことにより、棒がアーマチュアに連結される。アーマチュアのこのような形成はコストがかかり不利であることが判った。更に、棒がやや側方に延びる穴の方へ、従って中央の位置からずれて延長し、後加工が必要であり、不良品が生じるという欠点がある。
【０００３】
特に液体を含むケーシングの場合に、アーマチュアをケーシングによって取り囲むためには、アーマチュアに溝や切欠きを設ける必要がある。この溝や切欠きは、運動によってその都度押しのけられる、ケーシング内に存在する媒体の流出を可能にする。棒支持の場合には一般的に、穴、通路等によって、軸受ブッシュの向こう側にある空間から媒体を逃がす必要がある。それによって、閉じ込められた媒体の、妨害作用を生じる圧力クッションの発生を回避することができる。
【０００４】
【発明が解決しようとする課題】
本発明の課題は、このよな電磁石のアーマチュアとケーシングの製作を簡単および安価にし、不良品の発生を充分に回避することである。
【０００５】
【課題を解決するための手段】
この課題は、棒がアーマチュアをその全長にわたって貫通していること、棒が合成樹脂から成り、射出成形によりアーマチュア内に形成されていることによって解決される。これにより、アーマチュアの中央の穴内に容易に製作可能な棒を挿入することができる。この棒は、穴が側方へ延びる場合にも射出成形によって正確にセンタリングして取付け可能である。正確に採寸した付着防止板を一緒に射出成形し、それによってその他の組み立てステップを省略し、組み立てエラーおよび不良品の発生を阻止することができるという利点がある。付着防止板、すなわちアンチ付着板は、電流を切った後の磁気的な付着を防止する。
棒が合成樹脂で作られ、アーマチュア内で射出成形されるので、簡単な製作と、確実な固定保持および正確なセンタリングが同時に達成される。
【０００６】
特許請求の範囲の第１項に記載の対象物の好ましい有利な実施形は、後述の電磁石の有利な構成から明らかである。
【０００７】
【実施例】
実施例の次の記載に基づいて本発明の特徴を詳しく説明する。
【０００８】
図１には電磁石の縦断面が示してある。この電磁石は磁極片２を有するケーシング１を備えている。このケーシングには、アーマチュア７の行程を制限する上側部分３が挿入され、この上側部分はケーシング１の上側の外壁を折り曲げることによって保持されている。ケーシング内には磁石コイル４が挿入されている。このコイルのリード線はプラグ５に接続されている。上側部分３には、アーマチュア７を胴体支持するための、青銅からなる軸受ブッシュ６が挿入されている。アーマチュアは合成樹脂からなる棒８を備えている。この棒は、非磁性の金属材料からなる付着防止板１１を越えてアーマチュア内に射出成形された円筒部分からなっている。この円筒部分の中に軸方向の円筒状補償通路９が貫通形成されている。保持フランジ１０としての円筒部分の後端部はアーマチュアの後側に係合している。出発位置においても補償通路９に出入りできるようにするために、保持フランジ１０には半径方向の溝が一緒に射出成形されている。
【０００９】
この電磁石のコイル４が励磁されると、ケーシング１に液状媒体が充填されている場合には、上側部分３の上側自由空間内でアーマチュアが下降することによって付加的に空く空間がこの液体媒体内で充填される。この液体媒体は補償通路９を経て補充流入する。アーマチュアの補充溝や穴なしに、アーマチュアの運動を妨げる圧力クッションの形成が確実に回避され、棒８の製作およびアーマチュアと棒の連結が、冷えて硬化する合成樹脂物質を簡単に射出成形することにより問題なくかつ少ない加工コストで、すなわち安価に実現可能である。この場合、使用された射出成形型によって同時に、アーマチュア７に対する棒８のセンタリングが、もしかすると側方へ延びるアーマチュア７の穴と無関係に、確実に達成される。その際、一つの加工工程で、付着防止板１１が射出成形された棒の付け根の下方に固定され、中央の補償通路９が形成され、そして流入を容易にする刻み目を備えた保持フランジ１０が形成される。
【００１０】
次の図に基づいて、他の例を概略的に説明する。図２には従来のアーマチュア１２が示してある。このアーマチュアはその運動時に押しのけられる媒体を補償するために、補償穴１３を備えている。アーマチュアの棒片１４はアーマチュア１２の盲穴に挿入され、そしてアーマチュアの材料を棒片の溝内にプレスすることによって固定される。この場合、支持は図１で用いた、ここで矢印１５によって象徴的に示すような純粋な胴体支持であってもよいが、矢印１６で象徴的に示すように、棒−胴体−支持でもよい。
【００１１】
図３は合成樹脂によって形成されアーマチュア７内に射出成形された棒８を示している。この棒の中央を補償通路９が通過している。棒は保持フランジ１０とフランジ１７によってアーマチュアを両側から取り囲んでいる。この場合、フランジ１７は、同時に付着防止板として作用するように、肉厚が定められている。多くの場合、特に棒８の突出した部分に支持する場合に、補償通路９まで達する横穴１８をアーマチュア７のすぐ手前に形成することによって、補償システムを拡大すると有利であることが判った。それによって、アーマチュア空間内にある媒体の押しのけられた容積の補償が、軸受ブッシュによって妨害されることなく、補償通路９と横穴１８を経て行われる。
【００１２】
図４の実施例の場合には、保持フランジ１０がアーマチュア７の上側の端面にかぶさっているが、フランジ１７がアーマチュアの凹部内に形成され、付着防止板１１が棒８の下側の突出部分に嵌められている。
【００１３】
他の実施例が図５に示してある。この場合、上側の保持フランジがアーマチュア７の端面の窪みに限定されている。一方、部分的に埋め込まれたフランジ１７の突出部分が付着防止板として作用する。この場合にも、前側の棒支持のために、横穴１８が設けられている。
【００１６】
補償通路は、例えば図６に示すように、アーマチュア７の中を貫通しフランジ１０，１７によって固定される棒２５をアーマチュアに射出成形することにより、省略される。保持ブッシュの向こう側に形成された空間を補償に確実に寄与するようにするために、それぞれフランジ１０または１７の隣に横穴２６または１８が設けられている。図６のフランジ１０，１７は同時に付着防止板として作用するが、図７と図８の場合には、１個または２個の別個の付着防止板が後から棒２５に嵌め込まれる。
【００１８】
本発明の他の変形が可能である。合成樹脂からなる棒８，２５が容易に製作でき、アーマチュア７内に射出成形する際に、中央のアーマチュア穴の延長線とは無関係に、アーマチュアの輪郭に対して正確にセンタリングして取付けできることが重要である。棒の中央を延びる補償通路が一緒に容易に形成可能であるので、アーマチュア内にある媒体を補償するための特別な他の手段はもはや不要であり、それでもって既に重要な利点を生じる。更に、特にＰＡまたはＰＰＳのような合成樹脂からなる棒をアーマチュア内に射出成形することができる。それによって、この場合にも製作が一層簡単になり、ひいては安価になる。特別な付着防止板を省略できることにより、組み立てが簡単および安価になる。更に、忘れられ、再び廃棄されるかあるいは棒から滑り落ち、取り違えるかまたは付加的に嵌めこまれる付着防止板によって生じる組み立てエラーが無くなる。同様に、棒のコストのかかる固定のための特別な加工工程が省略され、アーマチュアおよび特にその軸方向の穴が従来よりも広い公差内で製作および支持可能である。
【００１９】
本発明による電磁石の有利な構成を挙げると、次の通りである。
【００２０】
１．棒８，２５がアーマチュア７内に射出成形されていることを特徴とする電磁石。
【００２１】
２．付着防止板としての働きをする保持フランジ１０およびまたはフランジ１７が棒上に射出成形されていることを特徴とする上記第１項の電磁石。
【００２２】
３．棒８，２５が貫通する軸方向の補償通路９を備えていることを特徴とする電磁石。
【００２３】
４．棒８，２５が突出するその端部の付け根の範囲に、補償通路９に開口する横穴１８，２６を備えていることを特徴とする上記第３項の電磁石。
【００２４】
５．少なくとも１個の付着防止板１１が敷かれているか、嵌め込まれているかあるいは射出成形されていることを特徴とする上記第１〜４項のいずれか一つの電磁石。
【００２５】
６．アーマチュア７が射出成形された棒８，２５および同時にフランジ１７として射出成形された付着防止板と共に、分解不可能なユニットを形成していることを特徴とする上記第１〜５項のいずれか一つの電磁石。
【００２６】
【発明の効果】
以上説明したように、本発明の電磁石は、アーマチュアとケーシングの製作が簡単で安価であり、不良品の発生を充分に回避することができるという利点がある。
【図面の簡単な説明】
【図１】電磁弁の断面図である。
【図２】技術水準による、棒を備えた胴体支持式アーマチュアの概略図である。
【図３】本発明に従って形成されたアーマチュアを示す図である。
【図４】本発明に従って形成されたアーマチュアを示す図である。
【図５】本発明に従って形成されたアーマチュアを示す図である。
【図６】本発明に従って形成された棒支持式アーマチュアを示す図である。
【図７】本発明に従って形成された棒支持式アーマチュアを示す図である。
【図８】本発明に従って形成された棒支持式アーマチュアを示す図である。
【符号の説明】
１                      ケーシング
４                      磁石コイル
７                      アーマチュア
８，２５                棒
９                      補償通路
１０                    保持フランジ
１１                    付着防止板
１７                    フランジ
１８，２６              横穴
【図１】
0003550164.tif 000002
【図２】
0003550164.tif 000003
【図３】
0003550164.tif 000004
【図４】
0003550164.tif 000005
【図５】
0003550164.tif 000006
【図６】
0003550164.tif 000007
【図７】
0003550164.tif 000008
【図８】
0003550164.tif 000009